(57)【特許請求の範囲】
【請求項１】
ａ）ハウジング（Ｇ）と、
ｂ）出口（４）を通じて、計量された液体薬剤を投与するため、前記ハウジングに配置された容器（１）と、
ｃ）前記容器（１）の出口（４）をカテーテル（８）に接続し、該カテーテルの前記出口（４）の反対側に位置する前端に注射針（９）が接続されるようにする接続ハウジング（２０）と、
ｄ）前記接続ハウジング（２０）内で、前記出口（４）と前記注射針（９）との間の前記液体薬剤の流れ断面に配置された受動一方向弁（３０）と、を有し、
該弁（３０）は、自己排出を防止するために、前記液体薬剤を排出する方向に前記弁（３０）に作用する液体圧力が液体コラムの死荷重による液体圧力を越える場合にのみ、前記カテーテル（８）の前端への前記液体薬剤の流れを可能にする液体薬剤計量投与装置において、
ｅ）前記液体薬剤は、ピストン（２）を前進させることにより前記出口（４）から排出され、
ｆ）前記接続ハウジング（２０）は、前記出口（４）に着脱可能に接続され、該接続ハウジング（２０）が前記出口（４）に接続された時、該出口（４）を封止する薄膜（６）を貫通する接続針（７）を有し、
ｇ）前記弁（３０）は、該弁に前記ピストン（２）の前進により作用する液体圧力が最大の前記液体コラムの死荷重による液体圧力を越えるときのみ前記液体薬剤の流れを可能にすることを特徴とする液体薬剤計量投与装置。
【請求項２】
前記弁（３０）は、該弁に前記ピストン（２）の前進により作用する液体圧力が最大の前記液体コラムの死荷重による液体圧力に２と４との間の安全率を乗じた圧力を越えるときのみ前記液体薬剤の流れを可能とすることを特徴とする請求項１に記載の装置。
【請求項３】
前記弁（３０）の弁本体（３１；３７；３８；３９；４１）は該弁本体に導かれる薬剤供給ライン（１３）の少なくとも一方の開口部（１３ａ）に対し偏倚され、その偏倚力の大きさは、前記弁本体（３１；３７；３８；３９；４１）の前記開口部（１３ａ）を密封するように包囲する接触面（３３）に作用する力が弁断面に前記液体コラムの死荷重による圧力によって作用する力より大きいことを特徴とする請求項１又は２に記載の装置。
【請求項４】
前記接触面（３３）は、前記開口部（１３ａ）を包囲する密封リップ（１５；３５）に形成されることを特徴とする請求項３に記載の装置。
【請求項５】
前記弁本体（３１）は、該弁本体（３１）を収容する液密ハウジング（１０；２０；２０）の、前記密封リップ（１５；３５）の上流の壁（１４）の方へ偏倚されていることを特徴とする請求項４に記載の装置。
【請求項６】
前記密封リップ（１５）は、前記送りライン（１３）に形成されていること特徴とする請求項４または５に記載の装置。
【請求項７】
前記密封リップ（３５）は、流れ断面を包囲する周縁面（１９；２４）に対して、流れ方向を横断する方向に押圧されていることを特徴とする請求項４に記載の装置。
【請求項８】
前記弁本体（３７）は、前記送りライン（１３）の表面を包囲し、前記送りライン（１３）は、流れ断面を形成する少なくとも１つの開口部（１３ａ）を備えていることを特徴とする請求項３に記載の装置。
【請求項９】
前記弁本体（３７；３８）は、送りライン（１３）を密封するように包囲する密封ストッパであり、送りライン（１３）の少なくとも１つの開口部（１３ａ）に接続される流れ断面を形成するために拡開されることができることを特徴とする請求項５または８に記載の装置。
【請求項１０】
前記弁本体（３９）は、形成された密封リップ（３２ａ）を備えた少なくとも１つのスリットを有し、それによって流れ断面を密封および開放することを特徴とする請求項３に記載の装置。
【請求項１１】
前記弁本体（４１）は、前記送りライン（１３）の少なくとも１つの開口部（１３ａ）に対して、ばね（４２）の圧力によって偏倚されることを特徴とする請求項３に記載の装置。
【請求項１２】
前記接続ハウジング（２０）は、前記容器（１）の出口（４）から延びる出口部分（５）に接続されていることを特徴とする請求項１ないし１１のいづれか１項に記載の装置。
【発明の詳細な説明】
【０００１】
【発明の属する技術分野】
本発明は、液体薬剤の計量投与装置に関する。
【０００２】
【従来の技術】
公知の注射器において、投与される薬剤は、容器、通常、薬剤を溶解する、以降、液体薬剤と称される担体液体を含む容器、可動ピストンと出口との間のアンプルに収容される。カテーテルの後端は、容器の出口に接続される。前方カテーテルの端部は液体薬剤を人間または動物の体に投入する注射針を含み、この場合、幾日かにわたって投与する場合には残る。液体薬剤容器が、カテーテルまたは針の前端より高く配置されている場合には、容器とカテーテルの前端との間の十分な高さによって容器が液体コラムの力の結果としてそれ自身を排出する。
【０００３】
携帯用注射装置を使用するインシュリン注射の場合、すなわち、ポンプ装置、使用するカテーテルは、１ｍの長さを越える。注射装置とともに使用される現在最も長いカテーテルは、１．１ｍの長さである。容器を備えた装置がユーザの上に、夜間に配置される場合には、これは、ほぼ０．１バールの水圧ベースの圧力を形成し、液体薬剤の死荷重による純粋な正圧から、摩擦のロス、排出または毛管効果のような他の効果が考慮され、液体薬剤の場合、水に等しい密度が仮定される。
【０００４】
液体のコラム圧力として望ましくない排出を防止するために、容器に配置された移動可能なピストンと容器の壁との間の側面の摩擦は増大されるが、これは、他の不利益を招く。他の解決法として、ピストンが駆動部材に取り付けられ、容器内の液体表面の下降その結果の自己排出を防止する。公知の装置において、ピストンが駆動部材にねじこまれる。しかしながら、これは、装置のコストを上昇させることになる。またこの解決法は、ピストンに、ねじによる接続構造が形成されないときには、使用するように準備されたアンプルを使用することはできない。
【０００５】
【発明が解決しようとする課題】
本発明は、日常の動作における条件において制御されない液体薬剤の排出が防止され、液体容器から計量された液体薬剤を投与することができる投与装置を提供することを目的とする。
【０００６】
【課題を解決するための手段】
この目的は、特許請求の範囲１によって解決される。
【０００７】
本発明は、日常の動作における条件において制御されない排出を防止する流体容器から計量された液体薬剤の投与装置を提供する装置に基づいている。薬剤が容器に保持される液体薬剤の計量された投与の装置に基づいており、この場合、薬剤は、容器の出口に向かって容器に可動に保持されたピストンの前進によって投与する方法でピストンが移動する容器に保持される。このような容器の後端は、カテーテルの接続について提供される出口部分を介して容器の出口に直接接続される。通常、ホース形状のカテーテルが使用される。しかしながら、剛性のカテーテルは使用することができる。カテーテルの前端は、薬剤の投与の注射針に接続されるか、前記針に接続される。この明細書で使用される投与という用語は、注射及び注入並びに双方の投与のタイプの組み合わせを言う。本発明は、注射エレメントまたは装置とともに使用することに関連する。これらは、インシュリンの治療についての携帯装置からなる。
【０００８】
本発明によれば、容器出口と注射器針の間の液体薬剤の流れ断面積に薬剤を投薬する弁が配置されている。自己排出を防止するために、この方向への流体圧が装置の液体コラムのデッド重量によって生じる弁の圧力を越える場合にのみカテーテルの前端への流れが可能であるように弁の寸法が決定される。異なる長さの全体範囲のカテーテルにおいて大量生産される装置の場合、この弁は、最も長いカテーテルとともに使用するように、すなわち、最大限可能な液体コラムにおける寸法で形成されている。
【０００９】
この弁は、一方向弁として構成され、理想的には容器に逆流することを防止するために構成されている。好ましくは、弁は逆止弁である。
【００１０】
薬剤の計量された投与を妨害することをできる限り少なくなるように防止すると同時に、自己排出を安全に防止するために、弁は、この方向の液体圧力が、好ましくは安全率で倍加される液体コラムの最大限可能な圧力を越える場合にのみ、カテーテルの前端へ流れを可能にする方法で構成されていることが好ましい。この場合において、弁は、医薬の用途において使用されるので、安全率は３の値を有する。約１ｍの最大限のカテーテルの長さ及び容器の無視できない液体コラムにおいて、カテーテルの自由端の最大限の流体圧は、約０．１バールであり、この場合の弁は、０．３バールの液体圧が過剰である場合にのみ、開放するように構成されている。また、これは携帯用注入ポンプの好ましい用途の寸法である。
【００１１】
弁はその原理において、容器針と注射針との間の任意の点に配置することができるが、容器の出口に可能な限り接近することができるように配置することが好ましい。この構成において、逆止弁の場合、容器への逆流を防止することができる。
【００１２】
弁を収容するために、例えば、出口部分は、容器の出口領域に配置されている。特に好ましい実施例によれば、弁は、カテーテルの接続部分として作用するハウジング内に配置されている。その結果、弁は、カテーテルとともに容易に置換することができる。
【００１３】
弁は、組み合わせ条件において送りラインを密封し、少なくとも１つの開口部を密封する弾性材料から製造されることが好ましい密封エレメントとして弁本体を含む。弁本体のすぐ前方の送りラインは、接続針であり、カテーテルの容器出口への接続中に薄膜を貫通して液体接続を提供することができる。弁本体によってシールされる開口部を備えた送りパイプの最後の部分は、例えば、接続針を収容する前記ハウジングによって形成することができる。
【００１４】
流れ交差部分のシーリングは、弁本体または送りラインに形成されるとともに狭い正確に定義された接触面へのシーリングリップの効果によって達成することができる。送りラインの少なくとも１つの開口部を包囲する少なくとも１つの密封リップで密封を達成することで、弁が開放する圧力を画定することができる。この送りパイプ構成は、簡単な弁ハウジング製造の利点を有する。
【００１５】
他の実施例において、弾性弁本体は中空シリンダであり、ホース状の送りラインに取り付けられる。少なくとも１つの密封可能な送りラインの開口部は、送りパイプの表面領域に配置される。送りパイプ上に配置された送りパイプおよび弁本体は、自転車のチューブの弁のように協働する。
【００１６】
弁本体の特別の簡単な設計は、弾性材料からつくられたシーリングストッパであり、ストッパ状のように液体薬剤の流れ断面を閉鎖する。しかしながら、密封ストッパは、早期製造開口部を含み、この早期製造開口部は、前記十分な高圧流が密封ストッパに作用されるまで、閉鎖されたままである。弁の製造を簡単にするために、開口部は、接続針によってハウジングの密封ストッパの設置の後に製造されるのみであり、この接続針は、最初に完全に密封ストッパに挿入されるとき、つくられた開口部が密封ストッパの弾性体によって再び密封されるようにある程度収縮される。
【００１７】
本発明による他の弁は、心臓の弁のように作動する弾性弁本体を含む。
【００１８】
さらに、圧力ばねを含むばね付加弁本体を使用することができる。
【００１９】
【発明の実施の態様】
以下、本発明の一実施例を図面を参照して詳細に説明する。
【００２０】
図１は、液体薬剤の計量投与装置を表す。図示した実施例は、注入または注射装置用装置として使用することができる。好ましい用途として説明するために、特にインシュリンの注入を以下に示す。
【００２１】
担体液体に溶解したインシュリンは、ラックまたはハウジングＧに固定された容器またはアンプル１に収容されている。アンプル１は、自由に移動可能なピストン２を収容する。容器１のみ出口４の方向にピストン２を前進させることによって、インシュリン液体がアンプル１から移動される。ピストン２を好ましくはモータで駆動する駆動部材３は、前記ピストンの後ろ側に圧力を与えることによってピストンを前進させる。駆動部材３とピストン２との間には相互結合または材料の結合がない。ピストン２は、不浸透性を達成するために必要な側壁の摩擦力によってのみアンプル１に保持される。駆動部材３、したがってピストン２の前進運動は、出口４を通して細かく計量された方法でインシュリンを排出するように正確に制御される。
【００２２】
出口４は、アンプル１が最初に使用される前には液密薄膜６によって密封される。注射カテーテル８の接続時に、薄膜６はハウジング２０に配置された接続針７によって貫通される。ハウジング２０は、カテーテル８の接続部分として作用する。カテーテルの後端は、ハウジングまたは接続部分２０の円錐形前端部分に取り付けられている。接続部分２０の後端は、出口４に伸びる出口部分５にスナップイン固定されるかねじ込まれる。注射針９がカテーテル８の前端に接続されている。
【００２３】
注射針９が患者の皮膚にさされ、アンプル１を含むポンプユニットが注射領域上に、例えば、夜間に高さの差Ｈで固定され、収納されるとき、前端と、注射針９と高さの差Ｈによって形成されたアンプル１の液面との間の液体コラムの圧力は、注射針９の前端に常に作用する。この圧力の結果、インシュリンは、注射針９の前端で連続的に放出される。
【００２４】
これを防止するために、接続部分２０内のインシュリンの液体の流れ部分に、１つまたは２つの受動一方向弁３０および特に逆止弁が配置されている。弁３０は、注射針の方向の液体圧が、規定の安全率によって最大限の高さの差Ｈを備えた液体コラムの圧力を越える場合には、出口４からの流れがカテーテル８に可能になる。弁３０が受動一方向弁、すなわち、簡単な逆止弁として形成される場合において、また、液体薬剤のアンプル１への再流が防止され、ポンプの機能的な安全性が増大する。
【００２５】
図２は、弁を含む接続部分の第１の実施例を示す。この実施例の接続部分は、２つの部分、第１の上流ハウジング部分１０と第２の下流のハウジング部分２０とからなる。完成したハウジング１０，２０は、流れ方向に配置されたわずかな長手方向の中心線と回転対称的である。２つのハウジング部分１０と２０との間の分離面は、流れ方向に垂直方向に配置される。分離面は、弾性材料からなる弁本体３１を収容し、この弾性材料は、２つのハウジング部分１０および２０の間の外周縁部に沿って２つのハウジング部分１０および２０を接続することによって押される。この分離面は、弁本体３１によってシールされる。さらに、ハウジング部分１０および２０の周縁は、位置Ｓに環状に溶接される。弁本体３１がこの溶接接続部分に材料が組み込まれる。
【００２６】
弁本体３１は、軸線方向に突出したリングウエブを含む円形薄膜ディスクによって形成される。その設置条件において、その中央部分は、弁ディスクとして作用する。この円形弁ディスクは、１つまたはいくつかの開口部３２によって包囲される。他の環状部分は、２つのハウジング部分１０および２０の間に前記固定を提供する。
【００２７】
２つのハウジング部分１０および２０の双方は、中央穴１３と２１を含む。穴１３および２１の双方は、同一平面にある。第１のハウジング部分１０の穴において、接続針７が上流のハウジングコーン１１に挿入され取り付けられる。渦のない流れを達成するために、第１のハウジング部分１０の穴は、上流部分の外径にまた接続された下流部分の針７の内径に対応する直径である。これは、連続した円滑な壁によって送りライン１３をつくるだけではなく、針の下流端が接触する肩部１２もつくる。送りライン１３の下流端において、第１のハウジング部分１０は、密封リップ１５の形のライン開口部１３ａを包囲するウエブを形成する。
【００２８】
弁本体３１は、円形の密封ふた１５上に配置されている。この目的において、第１のハウジング部分１０の内側は、流れ方向に突出している密封リップ１５からの流れの方向に対して傾斜するように形成されている。密封リップ１５は、傾斜リング面１４によって包囲されている。密封リップ１５と同様、円形領域１４は、第２のハウジング部分２０の側面の各凹部と対向する環状面１４からの流れの方向に隆起する突出した環状リング１６によって包囲される。２つのハウジング部分１０および２０を組み立てる前に、弁本体３１は、第１のハウジング部分の外周の密封リップ１５からわずかに距離を置いており、したがって、円形表面１４からわずかに距離を置いている。ハウジング部分１０および２０の双方を押すことによって、弁本体のディスク３１は、円形面１４の外周に向かって密封リップ１５上に曲げられ、同時に密封リップ１５上で予め張力がかけられる。環状リング１６は、弁本体ディスク３１を第２のハウジング部分２０の溝に押し、弁本体ディスクの環状クランピングと同時に良好なシールを達成する。密封リップ１５および弁本体３１は、密封リップ１５が、弁本体に押される円周方向の狭い接触面積３３に沿って流れ断面をシールする。
【００２９】
比較的剛性なハウジング上の密封リップ１５の１つの薄膜および構成としての弁本体３１の設計は、特に良好な再生産可能な弁特性並びに容易に生産される弾性弁本体３１を達成する。弁本体３１が張力がかけられて配置される第１のハウジング部分１０の下流面および前記弁本体３１自身は、図２の組み立て位置に示す位置の弁本体が、密封リップ１５によって接触面３３に対して予め張力がかけられた力で押されるような方法で寸法が形成され、この密封リップ１５に対する張力は、接触表面３３の適応力が密封リップの流れ断面の最大限の高さの差で流体コラムによって図１による装置に形成される圧力より大きい。
【００３０】
液体コラムの最大限の圧力が、設定された安全率を越えるとき、弁本体３１は、密封リップ１５のシートから上昇する。インシュリン液は、送りライン１３を通り、密封リップ１５を周り、弁本体３１内の密封リップ１５の周りに同心円的に配置された１つまたはそれ以上の開口部３２を通り、出口ライン２１として作用する穴を介して弁本体３１の下流に流れることができる。他の方向において、弁は、固定された戻り流れ障壁を呈する。
【００３１】
弁本体３１のすぐ後ろには、ハウジング本体３１が広がる第２のハウジング部分に空洞が形成される。本体３１の後方の下流側が第２のハウジング部分２０の内壁に接触し、流れの開口部３２をブロックすることを防止するために、弁本体３１の方向に第２のハウジング部分２０の内壁から半径方向に伸びるスペーサのフィン２２が突出している。
【００３２】
図３は、図２の弁から抽出された実施例を示す。弁の機能は前の弁と同じである。この実施例において弾性弁本体３１は、二重のＴ形状の円形断面を備えた薄膜によって形成される。両側の薄膜ディスクの外周縁部から突出しているリングウエブ３１は、双方のハウジング部分１０および２０の結合部を固定するために作用する。同時に、ハウジングを密封する比較的大きな形成重量を表す。この実施例において、双方のハウジング１０および２０は、スナップ接続によって接続される。スナップ接続において、第２のハウジング部分２０は、中空の円筒形の第１のハウジング部分１０に挿入され、下流側で開放され、固定される。この目的のために、第２のハウジング部分２０は、外周部分に溝２８を有し、第１のハウジング部分は、内側に向かって半径方向に突出する半径方向円周方向に固定フィン１８を含み、この固定フィンは溝２８に係合する。
【００３３】
密封リップがハウジングに形成される第３の実施例は、図４に示されている。この実施例において、図２による弁本体３１は、原理的に図３に示されてＳスナップ接続で示されている。図４の実施例において、第１のハウジング部分１０の簡単な構造が示され、この簡単な構造は、接続針７の受け入れが簡単な穴によって形成され、弁本体３１が第１のハウジング部分１０に挿入され、双方のハウジング部分１０および２０が一緒にスナップ結合された後、接続針７は、表面１４に関して所定の位置に挿入され押され、表面１４において連続して挿入される弁本体３１に必要な張力で力をかける。この目的において、接続針７の下流端は、密封リップ１５を形成する。したがって、弁本体３１が損傷を受けることができないように丸くされる。針７の挿入は、ニードル側の密封リップに弁本体３１の所望の力が達成される点に針７が正確に挿入されるとき、弁本体３１の製造公差を補償することができる。さらに詳細には、図２および図３に関連して説明する。
【００３４】
また図５は、密封リップ１５がハウジング側に設けられる実施例を示す。図４による実施例において、前記密封リップは、接続ニードル７の後端に形成される。前述した弁構造と対比して、弾性材料からパンチ加工された円形の薄膜からなる弁本体３１は、適当な開口部を含まない。弁本体３１は、ハウジング部分１０および２０の間の円形リングに張力をかけないが、いくつかの円形セグメント５０および５１にのみ張力がかけられ、弁本体３１の円形ディスクの直径の外側の開口部溝５３および出口穴２１を通して液体薬剤を通過させる。
【００３５】
この場合、弁本体３１に張力をかけることは、弁本体３１をハウジング部分に挿入し、双方のハウジング部分が組み立てられた後に実行され、これは、弁の所望の貫通圧力が達成される程度まで弁体３１にあらかじめ張力をかけるまでハウジング１０の上流部分に接続針７を挿入することによって行われる。
【００３６】
もし、送りライン１３の液圧が密封リップ１５の弁本体３１の適応力を越える場合には、接触面３３で環状の流れギャップが開放される。インシュリン液はこの流れ環状ギャップを通り、また弁本体３１の開口溝５３を通って流れることができ、開口ライン２１を介して排出される。
【００３７】
さらに、図６ないし図９は、所望のシーリングまたは貫通特性が密封リップの補助によって達成される弁の実施例を示す。同時に、これらの実施例において、上述した内容とほぼ同じである。異なる特性のみを説明する。
【００３８】
図６による弁において、接続針７は、第１のハウジング部分１０に突出している。接続針７の下流開口部１３ａとは反対の第２のハウジング部分２０において、弾性弁本体３１は、ドーブ型の長手方向部分を備えた下流の弁本体延長部３６に固定される。下流に広がる延長部３６は、第２のハウジング部分２０から接続針７に向かって突出するフランジ状保持部分２３に配置される。弁本体３１は、流れの方向に向かって開口するポット状の形状である。ポットの上流縁部において、円周方向の密封リップ３５は、内側に向かって半径方向に突出しており、弁３１を設置するとき、このシーリングリップ３５は、接続針の外面の周りを密封する。ポットの内側への液体圧力が接続ニードル７の外面の予備張力によって形成された接触面３３に作用する圧力を越えるときにのみ、送りライン１３からの液体がポット状の弁本体３１の周りでハウジング１０，２０の溝に流すことができるこの接触面に沿ってギャップが解放される。このハウジングの空洞は、１つまたはいくつかの部分、この実施例においては、２つの開口部２１ａを介して第２のハウジング２０の出口ライン２１に接続され、これは弁本体支持体２３のベースではカバーされない。
【００３９】
図７による実施例は、特に簡単なハウジングの設計を示す。第２のハウジング部分２０は、大きな上流の開口部を備えた中空のシリンダおよびその中央に接続された排出穴２１からなる。この弁本体３１は、開口部に収容されている。第１のハウジング部分１０は、接続針７を保持する円筒形の組立体インサートであり、これは、第２のハウジング部分２０の開口部に他の方法でねじこまれ、固定されている。
【００４０】
弁本体３１は、図６に示す同様の方法で保持部分２３に取り付けられている。弁本体３１は、マッシュルーム形状である。湾曲したマッシュルーム面は、流れ方向に面している。この下流の円周において、湾曲したマシュルーム面は、ハウジング２０の開口穴の内壁２４に対してシーリングリップ３５として張力がかけられる。
【００４１】
図８は、ほぼ中空の半球弁本体３１を備えた実施例を示す。弁本体３１は、図６および図７の弁本体と同じ方法でハウジングに固定されている。ハウジングは、図７のハウジングに対応する。弁本体３１は、上流の円周面によって押され、送りライン１３の下流開口部１３ａを包囲して組立体挿入部分１０の簡単な平坦なカウンタ表面に対して接触面３３を形成する。弁本体３１は、送りライン１３に対してベル形状のシールを提供する。
【００４２】
図９による実施例において使用される弁本体３１は、密封リップ３５内ではないがこの密封リップ３５の周りの円形領域で液体圧力によって主に前述した実施例とは異なる。
【００４３】
図９による弁本体３１において、中央開口部３２、好ましくは１つの穴は、シーリングリップ３５によって包囲される。シーリングリップ３５は、テーパ円形領域によって包囲され、この領域は、シーリングリップ３５と同じ方向でテーパリング面から突出しているリングウエブ３４によって包囲される。好ましくは、密封リップ３５は、リングウエブ３４に関してそれ自身テーパが形成されている。弁本体に予め張力を加えることができるように、第１のハウジング部分１０の下流面の環状溝は、外側リングウエブ３４の面と弁本体３１の最初の状態との間の距離よりさらに深く形成されている。第１のハウジング部分の受容溝に外側リングウエブ３４を配置し、リングウエブをこの溝に完全に押すとき、密封リップ３５は、リング溝によって包囲された第１のハウジング部分１０の平坦面に対して押される。第１のハウジング部分１０の送りライン１３は、この実施例においては、中心にはない。それは、シーリングリップ３５と弁本体３１のリングウエブ３４との間の点で傾斜リングウエブ内の下流面で終わっている。この方法において、環状圧力領域が形成される。弁本体３１の弾性予備張力によって形成されたシーリングリップ３５の適用圧力が環状領域を越える場合には、シーリングリップ３５は、その対向面から離れて上昇される。この流れは、円形領域及び穴３２を介して出口ライン２１に送りライン１３から容易にされる。
【００４４】
図１０および図１１は、自転車のチューブの弁と同様の弁を示す。弁本体３７は、ホース部分によって形成される。双方の実施例は、１つの部分のハウジング２０を有する。各弁本体３７は、ホース部分によって形成される。双方の実施例は、１つの部分のハウジング２０を有する。各弁本体３７は、ニードル７上に、またはハウジング２０に、またはこの摩擦の構成によるこれらのエレメントの双方の間に保持することができる。
【００４５】
図１０において、１つのホース部分３７が送りライン１３の下流端に配置される。この実施例において、前記端部は、接続針７によって形成される。この面において、送りライン１３は、下流端に閉鎖される。送りライン１３は、ハウジング２０に突出している端部部分において、１つまたはいくつかの半径方向開口部１３ａを含み、これらは、ホース状弁本体３７によって包囲されシールされる。また送りライン１３のフェイスシールは、無限中空ニードルからそれを切断することによって送りライン１３をつくるためにサック状の弁本体３７によって結果的にシールされる。
【００４６】
図１１による実施例において、ハウジング２０の空洞は、弾性密封材料３７で裏打ちされている。ライニングの後、送りライン１３は、密封材料を通して押される。もし必要ならば、密封材料は、送りライン１３の導入を容易にするために予め貫通することができる。
【００４７】
図１２において、２つの部分のハウジング１０，２０は、ホース状の弁本体３７に接続されることによって示されている。送りライン１３を介して及び少なくとも１つの接続１３ａを介して、好ましくは、接続穴を介して第１のハウジング部分の外面にアンプルからの液体が通過する。接続１３ａの下流には、少なくとも１つの他の接続溝１３ｃが、第１のハウジング部分１０の外側表面に配置され、溝１３ｂで終わる。さらに少なくとも１つの接続溝１３ｃは、カテーテルの出口ライン２１に導かれる。接続穴１３ａ及び溝１３ｂは、第１のハウジング部分の外面によって形成された中間ウエブによって分離される。弁本体３７は、第１のハウジング部分１０の外面の周りにきつく張力がかけられ、接続穴１３ａと溝１３ｂとの間にシールを形成する。
【００４８】
図１２の実施例は、密封面１４ａ，２４ａおよび１４ｂ，２４ｂで特に良好な外部シールを示す。この密封領域において、第１および第２のハウジング部分１０，２０は、合致する円錐形面１４ａ，２４ａおよび１４ｂ，２４ｂを備えており、その間で、接続部分を結合するとき、弁本体３７の上流および下流端がクランプされる。予備張力圧力が過剰になると、接続穴１３ａおよび溝１３ｂの間の流れ接続をつくるために弁本体３７が拡張できるように第２のハウジング部分２０に十分な余地を残す。点線は弁本体３７の拡張状態を示す。第２のハウジング本体２０は、圧力保障開口部２９を含み、大気圧は、弁本体３７の外側の周りに常に存在する。
【００４９】
図１３は、図１０および図１１と比較し得る１つの部分のハウジング２０を示す。このハウジング２０は、上流部分に狭い第１の穴と、下流部分に広い第２の穴とを有する。第１の穴の端部は、第２の穴の端部で終わっており、接続ニードル７の狭いガイドおよびシートとして作用する。１つの密封ストッパ３８の形の弁本体は、広い下流の穴にプレス加工されるか、鋳造される。この弁は、接続針７の挿入中、その間に接続針７がシーリングストッパ３８を完全に貫通し、貫通動作の後にわずかに引き出される。この方法においては、開口部３２ａは、シーリングストッパ３８で形成される。図１３の弁は、接続針７または送りライン１３が、それらを連続中空針から単に接続することによってつくることができる。
【００５０】
図１４ないし図１６による実施例は、心臓弁のように作動する弁を示す。図１４および図１５の弁本体３９は、スリット３２ａを有する簡単な円形のディスクによって形成される。ハウジングは、１つの入口穴を備えた第２のハウジング部分２０に挿入する組立体挿入部分を有する。これは、中間段階を介して第２のハウジング部分２０の出口穴で選択的に終了する。組立体挿入部分２０の下流面は、入口と出口穴の間の繊維部分を包囲するハウジング部分２０の肩部に弁本体３９を押す。
【００５１】
図１４の弁本体３９は、流れの方向に形成された密封リップ３２ａを備えたスリットを含み、図１５の弁座３９は、２つの十字形スリット３２ａを有する。
【００５２】
図１６による構成において、弁本体３９のすぐ下のハウジング２０内に空洞が配置されている。その空洞の中に弁本体３９が広がることができる。この弁本体３９は、スリットを含む。液圧の結果として、弁本体は、それが完全に開放するまで、泡で満たす。それは、図１４および図１５に記載された弁本体３９より剛性が小さい。
【００５３】
図１７ないし図２１は、所望の弁効果を達成するためにばね圧によって張力が形成された弁を示す。
【００５４】
図１７による弁の弁本体４１は、球形であり、弁座として作用する送りライン１３の下流の開口部１３ａへの流れ方向に対する圧力ばね４２によって押される。圧力ばね４２は、送りライン１３の下流の開口部を指して円形のシリンダ２３を通過する。下流の端部において、シリンダ２３は、開口部２１ａを備えたフランジを含み、この開口部を通して液体の流れが弁を開放した後出口ライン２１に流れる。
【００５５】
図１８は、図１７の構成と同様の構成を示す。図１９の弁本体４１は、上流端で円錐形の形状を有する。弁座を形成する送りライン１３の下流の開口部は、同じ円錐形の方法で広がっている。さらに、弁本体４１の下流端は、弁本体４１の圧力ばね４２を案内する円筒形の延長部４６を含む。
【００５６】
図１９の弁本体４１は、送りライン１３の開口部によって形成された弁座に円錐形面を押す。この圧力は、プラスティックばね４２によって発生する。
【００５７】
図２０において、弁本体４１は、円筒形ガイド本体４３の下流面に固定された１つのディスクである。ガイド本体４３は、その外面に長手方向の溝４４を含む。ガイド本体４３は、円筒形ベースを備えた中空のシリンダであり、この上には弁本体４１が配置されており、弁本体４１は、ガイド本体４３に固定されている。このガイド本体４３は、上流端に円筒形ベースを備え、そこから内側ガイド延長部４６が流れ方向に突出している。このガイド延長部４６を介して圧力ばね４２に張力が形成される。ガイド本体４３は、長手方向溝４４に半径方向開口部４５を含み、その長手方向の溝を通って液体薬剤が中空の円筒形案内本体４３の内側に流れ、そこから出口ライン４１がカテーテルに通って流れる。
【００５８】
図２１において、弁本体４１は、流れ方向に対して横方向に送りライン１３の下流の開口部に直接回転軸線４７の周りの平坦な弁として配置される。その後方の下流側において、戻りフラップ４１は、送りライン開口部の閉鎖のためにレグばね４２によって張力が形成される。脚部ばね４２は、ばね軸４８が戻りフラップ回転軸４７に平行になるようにハウジング部分に挿入される。Ｌ形状のばね４２の第１の脚部は、戻りフラップ４１の後側を押し、第２の脚部は、カウンタ部分として作用するハウジングの内壁を押す。角度を有する脚部ばねの広がり力は、送りライン１３の下流の開口部に対して戻りフラップ４１をしっかりと押す。第２のばねの脚部は、第２のハウジング部分２０の軸線方向の穴に突出しており、第１の脚部は、弁本体４１の後方の溝に挿入され、弁本体４１に固定される。ばね軸線４８は、脚部ばね４２によってのみ形成され、このばね４２は、さらに参照符号４８のカウンタ部分を必要としない。
【００５９】
また弁本体およびハウジングの説明した組み合わせは、ハウジングと弁本体の他の組み合わせとともに使用することができる。
【図面の簡単な説明】
【図１】弁を含み、薬剤の制御されない排出を防止する本発明による装置の断面図である。
【図２】図１による弁とその構成の他の実施例を表す図である。
【図３】図１による弁とその構成の他の実施例を表す図である。
【図４】図１による弁とその構成の他の実施例を表す図である。
【図５】図１による弁とその構成の他の実施例を表す図である。
【図６】図１による弁とその構成の他の実施例を表す図である。
【図７】図１による弁とその構成の他の実施例を表す図である。
【図８】図１による弁とその構成の他の実施例を表す図である。
【図９】図１による弁とその構成の他の実施例を表す図である。
【図１０】図１による弁とその構成の他の実施例を表す図である。
【図１１】図１による弁とその構成の他の実施例を表す図である。
【図１２】図１による弁とその構成の他の実施例を表す図である。
【図１３】図１による弁とその構成の他の実施例を表す図である。
【図１４】図１による弁とその構成の他の実施例を表す図である。
【図１５】図１による弁とその構成の他の実施例を表す図である。
【図１６】図１による弁とその構成の他の実施例を表す図である。
【図１７】図１による弁とその構成の他の実施例を表す図である。
【図１８】図１による弁とその構成の他の実施例を表す図である。
【図１９】図１による弁とその構成の他の実施例を表す図である。
【図２０】図１による弁とその構成の他の実施例を表す図である。
【図２１】図１による弁とその構成の他の実施例を表す図である。
【符号の説明】
１  容器
２  ピストン
４  出口
８  カテーテル
９  注射針
１０，２０，２０  液圧ハウジング
１３  送りライン
１５，３５  密封リップ
１９，２４  周縁面
３０  弁
３１，３７，３８，３９，４１  弁本体
３３  接触面
【図１】
0004410860.tif 000002
【図２】
0004410860.tif 000003
【図３】
0004410860.tif 000004
【図４】
0004410860.tif 000005
【図５】
0004410860.tif 000006
【図６】
0004410860.tif 000007
【図７】
0004410860.tif 000008
【図８】
0004410860.tif 000009
【図９】
0004410860.tif 000010
【図１０】
0004410860.tif 000011
【図１１】
0004410860.tif 000012
【図１２】
0004410860.tif 000013
【図１３】
0004410860.tif 000014
【図１４】
0004410860.tif 000015
【図１５】
0004410860.tif 000016
【図１６】
0004410860.tif 000017
【図１７】
0004410860.tif 000018
【図１８】
0004410860.tif 000019
【図１９】
0004410860.tif 000020
【図２０】
0004410860.tif 000021
【図２１】
0004410860.tif 000022